(57)【特許請求の範囲】
【請求項１】
ケースの背面に電源側端子、前面に負荷側端子が配置され、負荷側端子が速結端子で形成された回路遮断器において、
前記ケース前面の一部を開口するとともに、前記ケースに上部が軸着されて前後に揺動可能な可動部材を前記開口から前方に張り出すように設け、前記可動部材の前面に前記速結端子の電線挿入孔を形成し、さらに、前記可動部材の軸部に前記可動部材を張り出す方向に付勢するねじりバネを設けており、
前記電線挿入孔に電線を挿入する接続操作により、前記可動部材が前記ねじりバネの付勢に抗して前記ケース内へ回動し、電線を速結端子に接続した状態では前記可動部材の前面がケース前面に略等しい位置に移動する一方、
前記ケースに、前記ケース内へ回動した前記可動部材の下端が係止する凸部を設けるとともに、前記ケース内へ押し込み操作可能で、当該操作に伴い、前記速結端子に接触して電線の前記速結端子への接続を解除し、且つ、前記ケース内へ回動した状態にある前記可動部材に係合して前記可動部材の前記ケースへの係止を解除する解除ボタンを設けたことを特徴とする回路遮断器。
【請求項２】
ケースの背面に電源側端子、前面に負荷側端子が配置され、負荷側端子が速結端子で形成された回路遮断器において、
前記ケース前面の一部を開口するとともに、前後に摺動可能な可動部材を前記開口から前方に張り出すように設け、前記可動部材の前面に前記速結端子の電線挿入孔を形成し、さらに、前記可動部材を張り出す方向に付勢するコイルバネを設けており、
前記電線挿入孔に電線を挿入する接続操作により、前記可動部材が前記コイルバネの付勢に抗して前記ケース内へ摺動し、電線を速結端子に接続した状態では前記可動部材の前面がケース前面に略等しい位置に移動する一方、
前記ケースに、前記ケース内へ摺動した前記可動部材の下端が係止する凸部を設けるとともに、前記ケース内へ押し込み操作可能で、当該操作に伴い、前記速結端子に接触して電線の前記速結端子への接続を解除し、且つ、前記ケース内へ摺動した状態にある前記可動部材に係合して前記可動部材の前記ケースへの係止を解除する解除ボタンを設けたことを特徴とする回路遮断器。
【発明の詳細な説明】
【技術分野】
【０００１】
本発明は回路遮断器に関し、詳しくは負荷側端子を速結端子として遮断器ケースの幅を小さくして薄型に形成した回路遮断器に関する。
【背景技術】
【０００２】
住戸内で使用される電気機器の増加により、分電盤内に設置される回路遮断器の数が増加している。そのため、回路遮断器の設置スペースが大面積とならないように回路遮断器の小型化が進んでいる。例えば、従来の回路遮断器の半分の幅で形成された回路遮断器がある（例えば、特許文献１参照）。このような回路遮断器は、負荷側端子が電線を挿入するだけで接続される速結端子が採用されている。 
【０００３】
【特許文献１】特開平１１−１６４７９号公報
【発明の開示】
【発明が解決しようとする課題】
【０００４】
分電盤内に組み付けた回路遮断器は、隣同士の回路遮断器が接触するような状態で設置されるので、隣接する回路遮断器の負荷側端子は近接して配置されていた。また、回路遮断器は分電盤に組み付けた状態ではその上面が前方を向くため、ケース前面に設けた負荷側端子は見づらくなるため、上記幅を狭くした形状の回路遮断器の場合、更に電線の接続作業がし辛くなっていた。
そのため、図７の回路遮断器の斜視図に示すように負荷側端子の電線挿入孔３５の下部に電線の誘い台３６を設けて電線の挿入をし易くする工夫が成されたものがある。しかし、そのような工夫が成されても、隣接する回路遮断器同士の電線挿入孔が離れる訳ではないので、接続作業の大きな改善には至らなかった。
【０００５】
そこで、本発明はこのような問題点に鑑み、幅を狭く薄型に形成しても、速結端子で形成した負荷側端子に電線を接続しやすい回路遮断器を提供することを目的とする。
【課題を解決するための手段】
【０００６】
上記課題を解決する為に、請求項１に記載の発明は、ケースの背面に電源側端子、前面に負荷側端子が配置され、負荷側端子が速結端子で形成された回路遮断器において、前記ケース前面の一部を開口するとともに、前記ケースに上部が軸着されて前後に揺動可能な可動部材を前記開口から前方に張り出すように設け、前記可動部材の前面に前記速結端子の電線挿入孔を形成し、さらに、前記可動部材の軸部に前記可動部材を張り出す方向に付勢するねじりバネを設けており、前記電線挿入孔に電線を挿入する接続操作により、前記可動部材が前記ねじりバネの付勢に抗して前記ケース内へ回動し、電線を速結端子に接続した状態では前記可動部材の前面がケース前面に略等しい位置に移動する一方、前記ケースに、前記ケース内へ回動した前記可動部材の下端が係止する凸部を設けるとともに、前記ケース内へ押し込み操作可能で、当該操作に伴い、前記速結端子に接触して電線の前記速結端子への接続を解除し、且つ、前記ケース内へ回動した状態にある前記可動部材に係合して前記可動部材の前記ケースへの係止を解除する解除ボタンを設けたことを特徴とする。
この構成により、電線接続前の電線挿入孔位置が遮断器ケース前面より張り出した状態にあり、接続後の電線挿入孔位置と異った位置にあるので、隣接する回路遮断器に接続された電線が邪魔に成り難く、電線接続作業をし易くなる。また、電線接続後は、可動部材は遮断器ケースの前方へ張り出す事がないので、電線の収容作業等の邪魔に成ることがない。而も電線挿入孔は斜め上方に張り出しているので、電線挿入孔を見やすく、電線の挿入操作がし易い。
【０００８】
請求項２に記載の発明は、ケースの背面に電源側端子、前面に負荷側端子が配置され、負荷側端子が速結端子で形成された回路遮断器において、前記ケース前面の一部を開口するとともに、前後に摺動可能な可動部材を前記開口から前方に張り出すように設け、前記可動部材の前面に前記速結端子の電線挿入孔を形成し、さらに、前記可動部材を張り出す方向に付勢するコイルバネを設けており、前記電線挿入孔に電線を挿入する接続操作により、前記可動部材が前記コイルバネの付勢に抗して前記ケース内へ摺動し、電線を速結端子に接続した状態では前記可動部材の前面がケース前面に略等しい位置に移動する一方、前記ケースに、前記ケース内へ摺動した前記可動部材の下端が係止する凸部を設けるとともに、前記ケース内へ押し込み操作可能で、当該操作に伴い、前記速結端子に接触して電線の前記速結端子への接続を解除し、且つ、前記ケース内へ摺動した状態にある前記可動部材に係合して前記可動部材の前記ケースへの係止を解除する解除ボタンを設けたことを特徴とする。
この構成により、電線接続前の電線挿入孔位置が遮断器ケース前面より張り出した状態にあり、接続後の電線挿入孔位置と異った位置にあるので、隣接する回路遮断器に接続された電線が邪魔に成り難く、電線接続作業をし易くなる。また、電線接続後は、可動部材は遮断器ケースの前方へ張り出す事がないので、電線の収容作業等の邪魔に成ることがない。
【発明の効果】
【０００９】
本発明によれば、電線接続前の電線挿入孔位置が遮断器ケース前面より張り出した状態にあり、接続後の電線挿入孔位置と異った位置にあるので、複数の回路遮断器が隣接設置されても、隣接する回路遮断器の接続された電線が邪魔になり難く、電線接続作業がし易くなる。
【発明を実施するための最良の形態】
【００１０】
以下、本発明を具体化した実施の形態を、図面に基づいて詳細に説明する。
＜第１実施形態＞
図１は、本発明に係る回路遮断器の第１の実施形態を示す斜視図であり、（ａ）は電線接続前の状態、（ｂ）は電線を接続した状態を示している。図において、１は電源側端子、２は負荷側端子、３は電路を開閉操作する操作レバー、４は負荷側端子２に接続した電線の係止を解除する解除ボタンであり、電源側端子１は遮断器ケース５の背面に、負荷側端子２は前面に設けられ、操作レバー３、解除ボタン４は上面に設けられている。
また、電源側端子１は単相３線式電路に接続する形態の端子であり、プラグイン方式の端子で形成され、上下に配列されている。負荷側端子２は、電線を挿入するだけで接続される速結端子であり、一対の電線挿入孔７は左右に配列されている。尚、９は電線を示している。
【００１１】
図２は負荷側端子２の縦断面説明図であり、（ａ）は電線挿入途中の状態、（ｂ）は電線を挿入して接続した状態を示している。図２に示すように、速結端子で形成された負荷側端子２は、電線９を電気的に接続し係止する押圧バネ１０がケース５に固定配置され、電線挿入孔７は、ケース５と分離形成されている可動部材８に設けられている。
可動部材８は、ケース前面５ａの開口された上部を閉塞するよう四角形の前面８ａを有し、上部に回動軸１２を備えてケース５に軸着され、前後方向に揺動可能となっている。そして、回動軸１２には可動部材８を前方に付勢するためのねじりバネ１３が取り付けられ、可動部材８は図示しないストッパに当接する前方位置へ常時付勢されている。そのため、可動部材８の前面８ａに設けられた電線挿入孔７は、電線９を接続しない状態では前方に張り出して且つ斜め上方を向いている。
【００１２】
このように形成した負荷側端子２の電線の挿脱操作は次のように成される。挿入接続操作は、所定の長さで電線端部の被覆を取り除いた電線９を、斜め上方を向いている電線挿入孔７に挿入することで行われる。挿入された電線９は、先端が押圧バネ１０に係合すると同時に、電線９の被覆部が電線挿入孔７の端部に当接して可動部材８をケース５内方向に回動させる。
そして、完全に挿入された状態では、図２（ｂ）に示すように圧縮された押圧バネ１０に係止されて良好な導通状態を得ると共に、係止されて抜け落ちるようなことがなくなる。また、可動部材８は回動してケース５に収納され、その前面８ａはケース前面５ａとほぼ等しい位置に移動し、下端がケース５に形成された凸部１４に係止して面一の状態が保持される
【００１３】
逆に、接続した電線９を抜き取る場合は、図３に示すように解除ボタン４を押し込み操作する。図３は解除ボタン４の作用説明図であり、（ａ）は解除ボタン４を押した状態の負荷側端子２の縦断面説明図、（ｂ）は解除ボタン４を押した状態の負荷側端子２の正面説明図である。
解除ボタン４を矢印の方向に押すことで、押圧バネ１０の弾性による係止動作が解除され、電線９は抜き取りが可能となる。同時に、解除ボタン４の端部４ａが可動部材８に係合して可動部材８のケース５への係止が解除され、可動部材８はねじりバネ１３の付勢により再び前方へ回動し張出動作する。
【００１４】
このように、電線接続前の電線挿入孔位置が遮断器ケース前面より張り出した状態にあり、接続後の電線挿入孔位置と異った位置にあるので、隣接する回路遮断器の接続された電線が邪魔に成り難く、電線接続作業をし易くなる。また、可動部材が張り出した状態では電線挿入孔が斜め上方を向いているので、電線挿入孔を見やすく、電線の挿入操作がし易い。
更に電線接続後は、可動部材は遮断器ケースの前方へ張り出す事がないので、電線の収容作業等の邪魔に成ることがないし、電線を抜き取る際、電線の係止が解除されたら可動部材が回動して電線接続前の張出状態へ復帰するので、電線の係止解除が分かりやすい。
【００１５】
尚、可動部材８の前面８ａは僅かに傾斜を設けて形成されているが、傾斜形成しなくとも良い。電線９を挿入していない張り出した状態では回動動作により斜め上方を向いているので、傾斜形成せずとも電線挿入孔７は見やすくなる。
【００１６】
＜第２実施形態＞
図４は、本発明に係る回路遮断器の第２の実施形態を示す斜視図であり、（ａ）は電線接続前の状態、（ｂ）は電線を接続した状態を示している。図において、２１は電源側端子、２２は負荷側端子、２３は電路を開閉操作する操作レバー、２４は負荷側端子２２に接続した電線の係止を解除する解除ボタンであり、電源側端子２１は遮断器ケース２５の背面、負荷側端子２２は前面に設けられ、操作レバー２３、解除ボタン２４は上面に設けられている。
また、電源側端子２１は単相３線式電路に接続する形態の端子であり、プラグイン方式の端子で形成され、上下に配列されている。負荷側端子２２は、電線を挿入するだけで接続される速結端子であり、一対の電線挿入孔２７は左右に配列されている。
【００１７】
図５は負荷側端子２の縦断面説明図であり、（ａ）は電線挿入途中の状態、（ｂ）は電線を挿入して接続した状態を示している。図５に示すように、速結端子で形成された負荷側端子２２は、電線９を電気的に接続し係止する押圧バネ３０がケース２５に固定配置され、電線挿入孔２７は、ケース２５と分離形成されている可動部材２８に設けられている。
可動部材２８は、ケース前面２５ａの開口された上部を閉塞するよう四角形の前面２８ａを有し、前後に移動可能に挿入配置され、その前面２８ａは電線挿入孔２７を上方から視認し易いように傾斜形成されている。この可動部材２８は、ケース２５の開口部内部に設けられた案内軸３２に支持されて前後に摺動可能に取り付けられ、案内軸３２に取り付けられたコイルバネ３３により、図示しないストッパに当接する前方位置へ常時付勢されている。そのため、可動部材２８の前面に設けられた電線挿入孔７は、電線９を接続しない状態では前方に張り出している。
【００１８】
このように形成した負荷側端子２２の電線の挿脱操作は次のように成される。挿入接続操作は、所定の長さで電線端部の被覆を取り除いた電線９を、前方に突出している可動部材２８の電線挿入孔７に挿入することで行われる。挿入された電線９は、先端が押圧バネ３０に係合すると同時に、電線９の被覆部が電線挿入孔２７の端部に当接して可動部材２８をケース２５内方向に摺動させる。
そして、完全に挿入された状態では、図５（ｂ）に示すように圧縮された押圧バネ３０に係止されて良好な導通状態を得ると共に、係止されて抜け落ちるようなことがなくなる。また、可動部材２８は摺動してケース２５に収納され、その前面２８ａはケース前面２５ａと略面一になり、下端がケース２５に形成された凸部３４に係止されて面一の状態が保持される。
【００１９】
逆に、接続した電線９を抜き取る場合は、図６に示すように解除ボタン２４を押し込み操作する。図６は解除ボタン２４の作用説明図であり、（ａ）は解除ボタン２４を押した状態の負荷側端子２２の縦断面説明図、（ｂ）は解除ボタン２４を押した状態の負荷側端子２２の正面説明図である。
解除ボタン２４を矢印の方向に押すことで、押圧バネ３０の弾性による係止動作が解除され、電線９は抜き取りが可能となる。同時に、解除ボタン２４の端部２４ａが可動部材２８に係合して可動部材２８のケース２５への係止が解除され、可動部材２８はコイルバネ３３の付勢により再び前方へ摺動して張出動作する。
【００２０】
このように、電線接続前の電線挿入孔位置が遮断器ケース前面より張り出した状態にあり、接続後の電線挿入孔位置と異った位置にあるので、隣接する回路遮断器の接続された電線が邪魔に成り難く、電線接続作業をし易くなる。而も、電線挿入孔は上方から見やすく挿入操作し易い。また、可動部材が張り出した状態にあるので、電線挿入孔はケース前面より前方に位置し、隣接する回路遮断器の配線が邪魔に成らず電線接続作業がし易い。
更に電線接続後は、可動部材は遮断器ケースの前方へ張り出す事がないので、電線の収容作業等の邪魔に成ることがないし、電線を抜き取る際、電線の係止が解除されたら可動部材が摺動して電線接続前の張出状態へ復帰するので、電線の係止解除が分かりやすい。
【００２１】
尚、上記第２の実施形態は、電線挿入孔２７を上方から視認し易いように可動部材前面２８ａを斜め上方を向くよう傾斜形成しているが、ケース前面２８ａに連続する平坦な面としても良い。その場合、上記図７に示すように電線挿入孔周囲に電線の誘い台を設けると良い。
また、上記双方の実施形態は、電線９を接続した状態で可動部材前面（最前部）８ａ，２８ａをほぼケース前面５ａ，２５ａと等しくしているが、電線９を接続してケース内に可動部材８，２８を移動収容した状態は、ケース前面５ａ，２５ａより僅かに突出していても良いし、ケース前面より後方に位置していても良い。むしろ、ケース５，２５内に入り込んで後方に位置する分には電線を配設し易く逆に好ましい。
【図面の簡単な説明】
【００２２】
【図１】本発明に係る回路遮断器の第１の実施形態を示す斜視図であり、（ａ）は電線接続前の状態、（ｂ）は電線を接続した状態を示している。
【図２】図１の負荷側端子の縦断面説明図であり、（ａ）は電線挿入途中の状態、（ｂ）は電線を挿入して接続した状態を示している。
【図３】図１の解除ボタンの動作説明図であり、（ａ）は解除ボタンを押した状態の負荷側端子の縦断面説明図、（ｂ）は同様に解除ボタンを押した状態の負荷側端子の正面説明図である。
【図４】本発明に係る回路遮断器の第２の実施形態を示す斜視図であり、（ａ）は電線接続前の状態、（ｂ）は電線を接続した状態を示している。
【図５】図４の負荷側端子の縦断面説明図であり、（ａ）は電線挿入途中の状態、（ｂ）は電線を挿入して接続した状態を示している。
【図６】図４の解除ボタンの動作説明図であり、（ａ）は解除ボタンを押した状態の負荷側端子の縦断面説明図、（ｂ）は同様に解除ボタンを押した状態の負荷側端子の正面説明図である。
【図７】従来の回路遮断器の斜視説明図である。
【符号の説明】
【００２３】
１・・電源側端子、２・・負荷側端子、４・・解除ボタン、５・・ケース、５ａ・・ケース前面、７・・電線挿入孔、８・・可動部材、９・・電線、１０・・押圧バネ、１２・・回動軸、１３・・ねじりバネ（付勢手段）、２１・・電源側端子、２２・・負荷側端子、２４・・解除ボタン、２５・・ケース、２５ａ・・ケース前面、２７・・電線挿入孔、２８、可動部材、３０・・押圧バネ、３３・・コイルバネ（付勢手段）。
【図１】
0004690150.tif 000002
【図２】
0004690150.tif 000003
【図３】
0004690150.tif 000004
【図４】
0004690150.tif 000005
【図５】
0004690150.tif 000006
【図６】
0004690150.tif 000007
【図７】
0004690150.tif 000008